(57)【特許請求の範囲】
【請求項１】
ヘアアイロンの柄部にヒータを内蔵するロッドを突出させ、このロッドに支持体を回動自在に組み付けるとともに、該支持体に前記ロッドに対して開閉するグローブを起伏自在に軸支し、このグローブの回転により、前記ロッドとグローブで挟み付けた髪を巻き付ける回転型ヘアアイロンにおいて、前記柄部の先端側に前記グローブの操作レバーを起伏自在に軸支し、前記グローブと係合する係合部材を設け、前記係合部材の前後にそれぞれ相対向するフランジが突設され、前記グローブに形成され前記両フランジ間に挿入可能な折曲片を設けて構成され、
前記係合部材を前記ロッドに沿って前後方向にスライド自在に組み付けるとともに、該係合部材を前記操作レバー側に押し付ける付勢部材を設けたことを特徴とする回転型ヘアアイロン。
【請求項２】
前記折曲片と前記係合部材との間に前記グローブの回転時における摩擦抵抗を軽減する低摩擦材を設けたことを特徴とする請求項１記載の回転型ヘアアイロン。
【発明の詳細な説明】
【０００１】
【発明の属する技術分野】
本発明は、グローブを回転させてロッドとグローブとの間に挟んだ髪をカールさせる回転型ヘアアイロンに関する。
【０００２】
【従来の技術】
従来、この種のヘアアイロンとして実公平２−２６４０１号公報には、グローブを機構的に回転させ、グローブとロッドで挟んだ髪の巻き付ける回転電動アイロンが提案されている。この回転電動アイロンは、ヒータを内蔵するロッドをアイロンの柄部から突出させ、このロッドに回動自在に外装する支持体にグローブを起伏自在に軸支するとともに、支持体とグローブとの間にはグローブを閉方向に付勢して髪を挟み付けるためのトーションばねが組み込まれている。そして、ロッドとグローブとの間に髪を挟み付けたまま柄部に内蔵するモータによりグローブのみを回転させ、髪を巻き付けるように構成している。
【０００３】
このような回転電動アイロンは、グローブを機構的に回転させることで、髪の巻き込みを簡単に行えるものであるが、髪を巻きつけるグローブは、モータにより回転することから、その停止位置が一定ではなく、グローブと一体的に設けた操作部の停止位置が変ってしまう。このため、グローブを開閉する際、グローブの停止位置に応じて柄部を持ち変えるといった煩わしさがあり、グローブの開閉操作が煩雑で操作性に劣るという問題があった。
【０００４】
本発明は、このような問題点を解決しようとするもので、回転するグローブの停止位置に拘らず、その操作部分の取付位置を一定としてグローブの開閉操作が容易な回転型ヘアアイロンを提供することを目的とする。
【０００５】
【課題を解決するための手段】
請求項１の発明は、ヘアアイロンの柄部にヒータを内蔵するロッドを突出させ、このロッドに支持体を回動自在に組み付けるとともに、該支持体に前記ロッドに対して開閉するグローブを起伏自在に軸支し、このグローブの回転により、前記ロッドとグローブで挟み付けた髪を巻き付ける回転型ヘアアイロンにおいて、前記柄部の先端側に前記グローブの操作レバーを起伏自在に軸支し、前記グローブと係合する係合部材を設け、前記係合部材の前後にそれぞれ相対向するフランジが突設され、前記グローブに形成され前記両フランジ間に挿入可能な折曲片を設けて構成され、前記係合部材を前記ロッドに沿って前後方向にスライド自在に組み付けるとともに、該係合部材を前記操作レバー側に押し付ける付勢部材を設けたものである。
【０００６】
髪をセットする際、ヘアアイロンの柄部を握って指先で操作レバーを押し下げることによって、グローブと係合する係合部材を付勢部材に抗して押し出す。このとき、グローブがスライドした係合部材に押されて開く。この後、操作レバーから指先を離すことによって、係合部材がばねにより後方側にスライドしてグローブが閉じ、グローブとロッドとの間に髪を挟み付けられる。ロッドとグローブで挟み付けられた髪はグローブの回転により巻き付けられ、髪にウェーブを与えたりカールさせるようにセットできる。そして、グローブの回転を停止すると、グローブの停止位置が変わるが、グローブと分離した操作レバーの位置は変わらないため、グローブを開閉操作する際、柄部を持ち変える必要がない。
【０００７】
請求項２の発明は、前記請求項１記載の回転型ヘアアイロンにおいて、前記折曲片と前記係合部材との間に前記グローブの回転時における摩擦抵抗を軽減する低摩擦材を設けたものである。
【０００８】
低摩擦材によってグローブと係合部材との摩擦抵抗が低減し、グローブがスムーズに回転する。
【０００９】
【発明の実施形態】
以下、本発明の実施例を添付図面を参照して説明する。図１〜図５は、本発明の第１実施例を示し、同図において１はヘアアイロンであり、このヘアアイロン１は、内部にヒータ（図示せず）を内蔵するロッド２と、このロッド２に対して開閉自在に設けた金属製のグローブ３と、合成樹脂からなる中空状の柄部４とから構成されている。
【００１０】
前記ロッド２は、前記柄部４の先端から突出し、柄部４の内部にはロッド２の基端部を固定する取付杆５が設けられている。この柄部４に固定的に取り付けられたロッド２の外周には回動自在なスリーブ６が同軸的に外装されている。また、前記柄部４の先端側には前記スリーブ６を回動自在に軸支する軸受部材７が固定されている。さらに柄部４から突出する前記スリーブ６の先端側には前記グローブ３を軸支するための支持体８が一体的に取付固定されている。９は前記スリーブ６の基端に一体的に固着された傘歯車からなる従動ギアであり、前記柄部４に内蔵するモータ10の出力軸にも同じく傘歯車からなる駆動ギア11が固着されている。これら従動ギア９と駆動ギア11とは、傘歯車からなる中継ギア12に噛み合い、この中継ギア12を介してモータ10の回転を前記ロッド２に外装したスリーブ６に伝達している。なお、前記中継ギア12は前記ロッド２を固定する取付杆５に軸支されている。
【００１１】
前記グローブ３は、金属板を折曲して形成され、図３に示すように、スリーブ６の基部両側には前記支持体８を左右から挟む側板３Ａが相対向して一体に垂設され、この各側板６Ａ間に掛け渡した支軸13によって前記支持体８に前記グローブ３を起伏自在に軸支している。また、このグローブ３を開閉操作する操作レバー14は、前記柄部４の先端側に支軸15によって起伏自在に軸支され、この操作レバー14と当接する係合部たる筒体16が前記スリーブ６に回動自在に外装されている。この筒体16の前面周縁と後端寄りにはそれぞれ相対向するフランジ17，18が突設されている。この両フランジ17，18間には前記グローブ３の側板３Ａから内側に折り曲げた折曲片３Ｂが挿入され、この折曲片３Ｂと筒体16により筒体16とグローブ３とが係合する。また、前記筒体16と前記支持体８との間には前記スリーブ６に外装して前後方向にスライドする付勢部材となるばね19が介在し、このばね19によって前記筒体16が柄部４の先端側に軸支した操作レバー14に押し付けられている。また、前記ばね19によって前記筒体16が後方側に付勢されているため、この筒体16のフランジ17，18と係合するグローブ３が常に閉じる方向に付勢される。なお、図中20は柄部４に設けた操作スイッチ、21は停止スイッチ、22は電源コードであり、この電源コードの途中に図示はしないがヒータをオン・オフするためのスイッチやヒータ温度を調節するコントロールスイッチなどが設けてある。
【００１２】
以上のように構成される本発明は、まずヘアアイロン１の柄部４を握って電源コード23に設けた図示しないスイッチによりヒータに通電し、コントロールスイッチによりヒータ温度を調節する。そして、指先で操作レバー14を押し下げることによって、操作レバー14に係合する筒体16をばね19に抗して押し出す。このとき、スリーブ６に外装した筒体16が前方側にスライドし、筒体16の両フランジ17，18とグローブ３の折曲片３Ｂとの係合により、グローブ３が支軸13を中心としてロッド２から離れる方向に回転して開く。なお、グローブ３は、操作レバー14から指先を離すことによって、ばね19により閉じ、グローブ３とロッド２との間に髪を挟み付けることができる。そして、柄部４に設けた操作スイッチ20を操作し、柄部４の内部に設けたモータ10を回転させる。このモータ10の回転は、その出力軸に固着した駆動ギア11の回転を中継ギア12を介して従動ギア９に分岐伝達し、従動ギア９に一体的に固定したスリーブ６がロッド２を中心として回転する。このスリーブ６の回転によりスリーブ６に一体的に固定した支持体８と、この支持体８に軸支したグローブ３とがスリーブ６と同体的に回転する。なお、スリーブ６を貫通して取付杆５に固定したロッド２は回転しない。つまり、モータ10の回転により、グローブ３がロッド２の周囲を回転し、ロッド２とグローブ３との間に挟み付けた髪を巻き付ける。これにより髪にウェーブを与えたりカールさせるようにセットすることができる。また、グローブ３を開閉操作する操作レバー14は柄部４の先端側に軸支されているため、図５に示すように操作レバー14の取付位置は変わらない。したがって、グローブ３を回転しても操作レバー14がグローブ３と一体的に回転しないから、停止スイッチ21の操作により、グローブ３を停止させたとしても、そのグローブ３の停止位置に拘らず操作レバー14の位置は変わらない。しかも、操作レバー14とグローブ３とがスリーブ６に軸支された筒体16を介して常に係合状態となっており、操作レバー14の操作によりグローブ３を確実に開閉操作することができる。
【００１３】
以上のように本発明では、グローブ３と、このグローブ３を開閉操作する操作レバー14とを切り離し、この分離したグローブ３と操作レバー14とが筒体16により常に係合する。このため、回転するグローブ３の停止位置に拘らず、操作レバー14によりグローブ３を確実に開閉操作することが可能である。また、柄部４に軸支された操作レバー14の位置は変わらないため、グローブ３の開閉する際、グローブ３の停止位置に応じて柄部４を持ち変える必要もなく、容易にグローブ３の操作することができる。
【００１４】
図６は、本発明の第２実施例を示し、前記第１実施例と同一機能を有する部分に同一符号を付し、異なる部分についてのみ説明し、詳細な説明は省略する。
【００１５】
本実施例では、前記第１実施例で示す筒体16の前面周縁部に突設するフランジ17を省略し、ワッシャ24をスリーブ６に外装し、このワッシャ24と筒体16との間に低摩擦材としてリング状の含油軸受25を介在している。この含油軸受25はばね19によってグローブ３の折曲部３Ｂに当接し、かつ、筒体16に含油軸受25とワッシャ24を介してばね19の付勢力が作用する。このため、本実施例においては、ばね19が直接筒体16にばね19が当接せず、また、含油軸受25がグローブ３の折曲部３Ｂに接しているのでグローブ３の回転時において、摩擦抵抗が軽減し、グローブ３がスムーズに回転する。
【００１６】
以上、本発明の実施例を詳述したが、本発明は、前記実施例に限定されるものではなく、本発明の要旨の範囲内で種々の変形実施が可能である。例えば、モータの回転をグローブに伝達する伝達手段や操作レバー，グローブの形状及び各スイッチの位置といったヘアアイロンの基本的構造などは適宜選定すればよい。また、支持体と筒体との間にばねを介在させて筒体を操作レバーに付勢させた例を示したが、操作レバーと柄部との間にばねを介在させることによって操作レバーを筒体に押し付けてもよい。また、付勢部材とコイル状のばねを示したが、巻きばねやトーションばねあるいは板ばねでもよい。また、本発明の第２実施例において、ばねと筒体との間に含油軸受を介在した例を示したが、含油軸受に変えてベアリングを用いてもよい。
【００１７】
【発明の効果】
請求項１記載の発明によれば、ヘアアイロンの柄部にヒータを内蔵するロッドを突出させ、このロッドに支持体を回動自在に組み付けるとともに、該支持体に前記ロッドに対して開閉するグローブを起伏自在に軸支し、このグローブの回転により、前記ロッドとグローブで挟み付けた髪を巻き付ける回転型ヘアアイロンにおいて、前記柄部の先端側に前記グローブの操作レバーを起伏自在に軸支し、前記グローブと係合する係合部材を設け、前記係合部材の前後にそれぞれ相対向するフランジが突設され、前記グローブに形成され前記両フランジ間に挿入可能な折曲片を設けて構成され、前記係合部材を前記ロッドに沿って前後方向にスライド自在に組み付けるとともに、該係合部材を前記操作レバー側に押し付ける付勢部材を設けたものであるから、回転するグローブの停止位置が変わっても、その操作レバーの取付位置は変わらず、グローブを容易に開閉操作することができる。
【００１８】
請求項２の発明によれば、前記請求項１記載の回転型ヘアアイロンにおいて、前記折曲片と前記係合部材との間に前記グローブの回転時における摩擦抵抗を軽減する低摩擦材を設けたものであるから、グローブがスムーズに回転する。
【図面の簡単な説明】
【図１】本発明の第１実施例を示すヘアアイロンの断面図である。
【図２】同上ロッド廻りの拡大断面図である。
【図３】同上ヘアアイロンの正面図である。
【図４】同上ロッド部分の底面図である。
【図５】同上ヘアアイロンの側面図である。
【図６】本発明の第２実施例を示すロッド廻りの拡大断面図である。
【符号の説明】
１ ヘアアイロン
２ ロッド
３ グローブ
３Ｂ 折曲片
４ 柄部
８ 支持体
14 操作レバー
16 筒体（係合部）
17,18 フランジ
19 ばね（付勢部材）
25 含油軸受（低摩擦材）
【図１】
0003988960.tif 000002
【図２】
0003988960.tif 000003
【図３】
0003988960.tif 000004
【図４】
0003988960.tif 000005
【図５】
0003988960.tif 000006
【図６】
0003988960.tif 000007